Podtech/llm-jp-corpus-v4-ja_patent huggingface dataset:
【手続補正書】
【提出日】平成17年9月1日(2005.9.1)
【手続補正１】
【補正対象書類名】明細書
【補正対象項目名】特許請求の範囲
【補正方法】変更
【補正の内容】
【特許請求の範囲】
【請求項１】  行列状に配列され、各々がその記憶データに応じて物理的状態が設定されてデータを不揮発的に記憶する複数のメモリセル、および
前記複数のメモリセルと行および列の少なくとも一方において前記メモリセルと整列して配置され、各々が前記メモリセルと同じレイアウトを有する複数のダミーセルを備える、不揮発性半導体記憶装置。
【請求項２】  各前記メモリセルは、可変抵抗素子と、前記可変抵抗素子と半導体基板領域との間に接続されるトランジスタスイッチとを備え、
前記複数のダミーセルは、行方向に沿って整列して１列に配列される形状ダミーセルを備え、
前記不揮発性半導体記憶装置は、さらに、前記形状ダミーセルの行に沿って配置され、前記基板領域と所定の間隔で電気的に接続される基板杭打ち配線を備える、請求項１記載の不揮発性半導体記憶装置。
【請求項３】  前記可変抵抗素子は、結晶状態によりその抵抗値が変化する相変化素子である、請求項２記載の不揮発性半導体記憶装置。
【請求項４】  前記複数のダミーセルは、行方向に沿って１列に整列して配置される形状ダミーセルと、列方向に沿って整列して１行に配置される形状ダミーセルとを備え、
前記形状ダミーセルと整列して前記メモリセルが配置され、かつ前記形状ダミーセルは、前記メモリセルに挟まれるようにメモリセルのアレイ内に配置される、請求項１記載の不揮発性半導体記憶装置。
【請求項５】  前記トランジスタスイッチは、前記基板領域表面に前記行に対応して配置される配置される第１の不純物領域と、前記第１の不純物領域表面に形成されて前記可変抵抗素子に電気的に接続される第２の不純物領域とを備え、
前記不揮発性半導体記憶装置は、さらに、
各前記メモリセル行に対応して前記行方向に延在して配置され、各々が対応の行の第１の不純物領域に所定間隔で電気的に接続されるワード杭打ち配線を有し、
前記ワード杭打ち配線と前記基板杭打ち配線とは同じレイアウトを有する、請求項２記載の不揮発性半導体記憶装置。
【請求項６】  前記ダミーセルは、列方向に沿って少なくとも２列に整列して配置されるダミーセルを備え、
前記不揮発性半導体記憶装置は、さらに、
前記列方向に沿って延在するように配置されかつダミーセル列の間の領域においてメモリセルを形成する基板領域に所定間隔で電気的に接続される基板杭打ち配線をさらに備える、請求項１記載の不揮発性半導体記憶装置。
【請求項７】  記憶データに従って結晶状態が変化する相変化素子と、
前記相変化素子に結合されて、前記相変化素子を加熱する加熱素子と、
前記加熱素子と半導体基板領域との間および前記相変化素子とデータ転送線との間の少なくとも一方の領域に形成され、前記加熱素子からの熱が伝播するのを抑制する熱素子層を備える、不揮発性メモリセル。
【請求項８】  各々が列方向に延在して配置される複数のビット線、および
行列状に配列され、かつ前記複数のビット線が各列に対応して配置されるように配置され、各々が対応の列のビット線に接続する複数のメモリセルを備え、各前記メモリセルは、対応の列のビット線の行方向の幅と実質的に同じ幅を有しかつ記憶データに応じて結晶状態が変化する相変化素子を備える、不揮発性半導体記憶装置。
【請求項９】  各前記メモリセルの相変化素子は、対応の列のビット線に対して自己整合的に形成される、請求項８記載の不揮発性半導体記憶装置。
【手続補正２】
【補正対象書類名】明細書
【補正対象項目名】００３９
【補正方法】削除
【補正の内容】
【手続補正３】
【補正対象書類名】明細書
【補正対象項目名】００４０
【補正方法】削除
【補正の内容】
【手続補正４】
【補正対象書類名】明細書
【補正対象項目名】００４１
【補正方法】削除
【補正の内容】
【手続補正５】
【補正対象書類名】明細書
【補正対象項目名】００４２
【補正方法】削除
【補正の内容】
【手続補正６】
【補正対象書類名】明細書
【補正対象項目名】００４３
【補正方法】削除
【補正の内容】
【手続補正７】
【補正対象書類名】明細書
【補正対象項目名】００４４
【補正方法】削除
【補正の内容】
【手続補正８】
【補正対象書類名】明細書
【補正対象項目名】００４９
【補正方法】削除
【補正の内容】
【手続補正９】
【補正対象書類名】明細書
【補正対象項目名】００５０
【補正方法】削除
【補正の内容】
【手続補正１０】
【補正対象書類名】明細書
【補正対象項目名】００５１
【補正方法】削除
【補正の内容】
【手続補正書】
【提出日】平成16年9月16日(2004.9.16)
【手続補正１】
【補正対象書類名】明細書
【補正対象項目名】特許請求の範囲
【補正方法】変更
【補正の内容】
【特許請求の範囲】
【請求項１】
半導体記憶装置の制御方法において、
バーストモード時に、動作モードを設定するモードレジスタを設定する場合、パワーダウンモードを介して非バーストモードのスタンバイモードに遷移させ、
前記非バーストモードの前記スタンバイモード時に、所定のシーケンスでコマンドが入力された場合に、モードレジスタセットモードに遷移させ、
前記モードレジスタを外部入力に応じてセットすることを特徴とする半導体記憶装置の制御方法。
【請求項２】
前記モードレジスタは、リセット禁止用のビットを有し、前記ビットがセットされている場合は、前記パワーダウンモードにおいて、前記モードレジスタの内容をリセットしないことを特徴とする請求項１記載の半導体記憶装置の制御方法。
【請求項３】
前記所定のシーケンスは、アドレスの最上位ビットと組み合わされた読み出し命令１回、書き込み命令４回の後、前記動作モードを表現した前記アドレスと組み合わされた前記読み出し命令１回の、６回の命令セットからなることを特徴とする請求項１記載の半導体記憶装置の制御方法。
【請求項４】
半導体記憶装置において、
動作モードをセットするモードレジスタを有し、非バーストモードのスタンバイモード時に、所定のシーケンスでコマンドが入力された場合に、前記モードレジスタをセットするモード設定制御回路と、
バーストモード時のスタンバイモードから、パワーダウンモードを介して前記非バーストモードのスタンバイモードに遷移させるパワーダウン制御回路と、
を有することを特徴とする半導体記憶装置。
【請求項５】
前記モードレジスタは、リセット禁止用のビットを有し、前記ビットがセットされている場合は、前記パワーダウンモードにおいて、前記モードレジスタの内容をリセットしないことを特徴とする請求項４記載の半導体記憶装置。
【請求項６】
前記所定のシーケンスは、アドレスの最上位ビットと組み合わされた読み出し命令１回、書き込み命令４回の後、前記動作モードを表現した前記アドレスと組み合わされた前記読み出し命令１回の、６回の命令セットからなることを特徴とする請求項４記載の半導体記憶装置。
【請求項７】
半導体記憶装置の制御方法において、
バーストモード時に、動作モードを設定するモードレジスタを設定する場合、特定のモードを介して非バーストモードのスタンバイモードに遷移させ、
前記非バーストモードの前記スタンバイモード時に、所定のシーケンスでコマンドが入力された場合に、モードレジスタセットモードに遷移させ、
前記モードレジスタを外部入力に応じてセットすることを特徴とする半導体記憶装置の制御方法。
【請求項８】
半導体記憶装置において、
動作モードをセットするモードレジスタを有し、非バーストモードのスタンバイモード時に、所定のシーケンスでコマンドが入力された場合に、前記モードレジスタをセットするモード設定制御回路と、
バーストモード時のスタンバイモードから、特定のモードを介して前記非バーストモードのスタンバイモードに遷移させるパワーダウン制御回路と、
を有することを特徴とする半導体記憶装置。
【手続補正書】
【提出日】平成16年12月2日(2004.12.2)
【手続補正１】
【補正対象書類名】特許請求の範囲
【補正対象項目名】全文
【補正方法】変更
【補正の内容】
【特許請求の範囲】
【請求項１】
発電設備を遠隔運用支援する発電設備の遠隔運用支援方法であって、
前記発電設備の復旧情報の提供のサービス形態を予め設定し、
前記発電設備の正常運転状態からの偏差または各プロセス値の動的傾向を演算し、予め設定されたしきい値を超えた場合には、異常発生と判断して異常を検知し、
前記発電設備の特性を模擬できるように調整されたシミュレータと制御ロジックが組み合わされた運転特性評価ツールによる負荷変動運転解析を作動し、
前記負荷変動運転解析の解析結果が許容範囲の場合は、前記設定されたサービス形態に基づいて、前記負荷変動運転解析により得られた推奨制御設定値を送信する 
発電設備の遠隔運用支援方法。
【請求項２】
請求項１に記載の発電設備の遠隔運用支援方法であって、
前記負荷変動運転解析の解析結果が許容範囲となっていない場合は、調整項目を選択し、自動調整し、許容範囲となるまで繰り返し調整する
ことを特徴とする発電設備の遠隔運用支援方法。
【請求項３】
発電設備とは別の場所で運転状態を監視及び診断し、該発電設備の運用を支援する発電設備の遠隔運用支援システムであって、
前記発電設備の復旧情報の提供のサービス形態を記憶した記憶媒体と、
前記発電設備の正常運転状態からの偏差または各プロセス値の動的傾向を演算し、予め設定されたしきい値を超えた場合には、異常発生と判断して異常を検知する異常検知機能と、
前記発電設備の特性を模擬できるように調整されたシミュレータと制御ロジックが組み合わされた運転特性評価ツールによる負荷変動運転解析を作動する負荷変動運転解析機能と、
前記負荷変動運転解析機能の解析結果が許容範囲の場合は、前記設定されたサービス形態に基づいて、得られた推奨制御設定値を送信する送信機能
を有する発電設備の遠隔運用支援システム。
【請求項４】
請求項３に記載の発電設備の遠隔運用支援システムにおいて、
前記負荷変動運転解析機能の解析結果が許容範囲となっていない場合は、調整項目を選択し、自動調整する修正機能と、
前記負荷変動運転解析機能の解析結果が許容範囲となるまで繰り返し調整する機能
を有するとを特徴とする発電設備の遠隔運用支援システム。
【手続補正２】
【補正対象書類名】明細書
【補正対象項目名】０００８
【補正方法】変更
【補正の内容】
【０００８】
本発明の発電設備の遠隔運用支援方法は、発電設備を遠隔運用支援する発電設備の遠隔運用支援方法であって、前記発電設備の復旧情報の提供のサービス形態を予め設定し、前記発電設備の正常運転状態からの偏差または各プロセス値の動的傾向を演算し、予め設定されたしきい値を超えた場合には、異常発生と判断して異常を検知し、前記発電設備の特性を模擬できるように調整されたシミュレータと制御ロジックが組み合わされた運転特性評価ツールによる負荷変動運転解析を作動し、前記負荷変動運転解析の解析結果が許容範囲の場合は、前記設定されたサービス形態に基づいて、前記負荷変動運転解析により得られた推奨制御設定値を送信することを特徴とする。
【手続補正書】
【提出日】平成17年1月31日(2005.1.31)
【手続補正１】
【補正対象書類名】明細書
【補正対象項目名】０００４
【補正方法】変更
【補正の内容】
【０００４】
図１７に示すスイッチング電源は電流モード型ＰＷＭ制御手段を備えてある。具体的構成は以下の通りである。この電源回路の出力側に誤差アンプ３１の負の入力を接続して検出電圧と基準電圧Ｖrefとの誤差を増幅するように構成してある。この誤差アンプ３１の出力を比較器３２の負の入力に接続してある。出力チョークＬ１に電流検出回路３４を接続し、この電流検出回路３４を比較器３２の正の入力に接続してある。この比較器３２の出力にフリップフロップ回路３６のリセット側を接続し、このフリップフロップ回路３６のセット側に発振器３３を接続し、この発振器３３からフリップフロップ回路３６にクロック信号を送信するように構成してある。このフリップフロップ回路３６の出力をドライバ３７の入力に接続し、このドライバ３７の出力を整流スイッチＳ１のゲート並びに転流スイッチＳ２のゲートに接続してある（例として特許文献２参照。）。
【手続補正２】
【補正対象書類名】明細書
【補正対象項目名】００１３
【補正方法】変更
【補正の内容】
【００１３】
【発明の実施の形態】
以下、添付図面を用いて本発明スイッチング電源に係る実施例を説明する。図１は本発明に係るスイッチング電源の一実施例を示す。Ｃはコンデンサ、Ｓはスイッチング素子、Ｒは抵抗、Ｚはインピーダンス、１１は誤差アンプ、１２，１３は比較器、１４は電流検出回路、１５はバッファアンプ、１６はフリップフロップ回路、１７はドライバ、２１，２２，２３，２４，２５はフィルタ回路である。
【手続補正３】
【補正対象書類名】明細書
【補正対象項目名】００１７
【補正方法】変更
【補正の内容】
【００１７】
第一の比較器１２の出力をフリップフロップ回路１６のリセット側の入力に接続するとともに、第二の比較器１３の出力をフリップフロップ回路１６のセット側の入力に接続してある。このフリップフロップ回路１６の出力をドライバ１７の入力に接続し、このドライバ１７の出力を整流スイッチＳ１並びに転流スイッチＳ２に接続し、フィルタ回路２１より得られる三角波形の振幅が第一の比較器１２の一方の入力レベルと第二の比較器１３の一方の入力レベルとの間に収まるように構成してある。
【手続補正４】
【補正対象書類名】明細書
【補正対象項目名】００２９
【補正方法】変更
【補正の内容】
【００２９】
第一の比較器１２の出力をフリップフロップ回路１６のリセット側の入力に接続するとともに、第二の比較器１３の出力をフリップフロップ回路１６のセット側の入力に接続してある。このフリップフロップ回路１６の出力をドライバ１７の入力に接続し、このドライバ１７の出力を整流スイッチＳ１並びに転流スイッチＳ２に接続し、フィルタ回路２２より得られる三角波形の振幅が第一の比較器１２の一方の入力レベルと第二の比較器１３の一方の入力レベルとの間に収まるように構成してある。
【手続補正５】
【補正対象書類名】明細書
【補正対象項目名】００３３
【補正方法】変更
【補正の内容】
【００３３】
第一の比較器１２の出力をフリップフロップ回路１６のリセット側の入力に接続するとともに、第二の比較器１３の出力をフリップフロップ回路１６のセット側の入力に接続してある。このフリップフロップ回路１６の出力をドライバ１７の入力に接続し、このドライバ１７の出力を整流スイッチＳ１並びに転流スイッチＳ２に接続し、フィルタ回路２５より得られる三角波形の振幅が第一の比較器１２の一方の入力レベルと第二の比較器１３の一方の入力レベルとの間に収まるように構成してある。
【手続補正６】
【補正対象書類名】明細書
【補正対象項目名】００３８
【補正方法】変更
【補正の内容】
【００３８】
第一の比較器１２の出力をフリップフロップ回路１６のリセット側の入力に接続するとともに、第二の比較器１３の出力をフリップフロップ回路１６のセット側の入力に接続してある。このフリップフロップ回路１６の出力をドライバ１７の入力に接続し、このドライバ１７の出力を整流スイッチＳ１並びに転流スイッチＳ２に接続し、フィルタ回路２４より得られる三角波形の振幅が第一の比較器１２の一方の入力レベルと第二の比較器１３の一方の入力レベルとの間に収まるように構成してある。
【手続補正７】
【補正対象書類名】明細書
【補正対象項目名】００４２
【補正方法】変更
【補正の内容】
【００４２】
第一の比較器１２の出力をフリップフロップ回路１６のリセット側の入力に接続するとともに、第二の比較器１３の出力をフリップフロップ回路１６のセット側の入力に接続してある。このフリップフロップ回路１６の出力をドライバ１７の入力に接続し、このドライバ１７の出力を整流スイッチＳ１並びに転流スイッチＳ２に接続し、フィルタ回路２５より得られる三角波形の振幅が第一の比較器１２の一方の入力レベルと第二の比較器１３の一方の入力レベルとの間に収まるように構成してある。
【手続補正８】
【補正対象書類名】明細書
【補正対象項目名】００４７
【補正方法】変更
【補正の内容】
【００４７】
以上のように構成してある図１１乃至図１４に示すスイッチング電源は、それぞれ対応する図１、図４、図５並びに図６図示のスイッチング電源とほぼ同様の作用をするが、これらに加え、これらのスイッチング電源は、フィルタ回路２１，２２，２３，２４で電流検出回路１４から流れた電流を加えるため、出力インピーダンスを調整することができる。
【手続補正書】
【提出日】平成17年9月12日(2005.9.12)
【手続補正１】
【補正対象書類名】明細書
【補正対象項目名】特許請求の範囲
【補正方法】変更
【補正の内容】
【特許請求の範囲】
【請求項１】  任意の画像を表示する表示手段と、
添付ファイルが添付された電子メールを受信する受信手段と、
この受信手段により受信された前記電子メールを記憶する記憶手段と、
前記電子メールの表示を行う際に、その電子メールに添付された添付ファイルに画像ファイルが含まれるならば、前記画像ファイルに基づく画像表示を前記表示手段に行わせるとともに、前記電子メールに基づく文字メッセージの表示を自動的にスクロールさせつつ前記表示手段に行わせる制御手段とを具備したことを特徴とする携帯端末装置。
【請求項２】  前記制御手段は、前記表示手段にて文字メッセージや画像の表示に使用可能な表示領域の一部をメッセージ領域としてここに前記電子メールに基づく文字メッセージを表示させ、残りの領域に前記画像ファイルに基づく画像を表示させることを特徴とする請求項１に記載の携帯端末装置。
【請求項３】  前記制御手段は、前記画像ファイルに基づく画像の前面に重ねて前記電子メールに基づく文字メッセージを表示させることを特徴とする請求項１に記載の携帯端末装置。
【手続補正２】
【補正対象書類名】明細書
【補正対象項目名】０００６
【補正方法】変更
【補正の内容】
【０００６】
【課題を解決するための手段】
以上の目的を達成するために本発明は、任意の画像を表示する表示手段と、添付ファイルが添付された電子メールを受信する受信手段と、この受信手段により受信された前記電子メールを記憶する記憶手段と、前記電子メールの表示を行う際に、その電子メールに添付された添付ファイルに画像ファイルが含まれるならば、前記画像ファイルに基づく画像表示を前記表示手段に行わせるとともに、前記電子メールに基づく文字メッセージの表示を自動的にスクロールさせつつ前記表示手段に行わせる制御手段とを備えた。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００５４
【補正方法】削除
【補正の内容】
【手続補正書】
【提出日】平成17年9月16日(2005.9.16)
【手続補正１】
【補正対象書類名】明細書
【補正対象項目名】特許請求の範囲
【補正方法】変更
【補正の内容】
【特許請求の範囲】
【請求項１】
外部記憶媒体と接続可能な移動通信端末装置であって、
表示手段と、
ファイルを記憶する記憶手段と、
前記記憶手段に新規ファイルを記憶する際、前記記憶手段が空き記憶容量不足であるか否かを判断し、
空き記憶容量不足であると判断された場合、前記記憶手段に記憶されたファイルの一覧を前記表示手段に表示し、
前記表示手段に表示された前記ファイルの一覧からファイルを選択されると、前記選択されたファイルを前記外部記憶媒体へ移動し、
前記新規ファイルを前記記憶手段へ記憶する制御手段と
を有することを特徴とする移動通信端末装置。
【請求項２】
表示手段と、
ファイルを記憶する記憶手段と、
前記記憶手段に新規ファイルを記憶する際、前記記憶手段が空き記憶容量不足であるか否かを判断し、
空き記憶容量不足であると判断された場合、前記記憶手段に記憶されたファイルの一覧を前記表示手段に表示し、
前記表示手段に表示された前記ファイルの一覧からファイルを選択されると、前記選択されたファイルを削除し、
前記新規ファイルを前記記憶手段へ記憶する制御手段と
を有することを特徴とする移動通信端末装置。
【手続補正２】
【補正対象書類名】明細書
【補正対象項目名】発明の名称
【補正方法】変更
【補正の内容】
【発明の名称】移動通信端末装置
【手続補正３】
【補正対象書類名】明細書
【補正対象項目名】０００１
【補正方法】変更
【補正の内容】
【０００１】
【発明の属する技術分野】
本発明は、移動通信端末装置に関する。
【手続補正４】
【補正対象書類名】明細書
【補正対象項目名】００１０
【補正方法】変更
【補正の内容】
【００１０】
本発明は、上記問題点を解決するためになされたものであって、移動通信端末装置内に設けられた記憶手段に新規にファイルを記憶する場合において、ファイルを書き込むだけの空き記憶容量がない場合にも、ファイルの書き込みを可能とする移動通信端末装置を提供することを目的とする。
【手続補正５】
【補正対象書類名】明細書
【補正対象項目名】００１１
【補正方法】変更
【補正の内容】
【００１１】
【課題を解決するための手段】
上記目的を達成するために、本発明の移動通信端末装置は、外部記憶媒体と接続可能な移動通信端末装置であって、表示手段と、ファイルを記憶する記憶手段と、
前記記憶手段に新規ファイルを記憶する際、前記記憶手段が空き記憶容量不足であるか否かを判断し、空き記憶容量不足であると判断された場合、前記記憶手段に記憶されたファイルの一覧を前記表示手段に表示し、前記表示手段に表示された前記ファイルの一覧からファイルを選択されると、前記選択されたファイルを前記外部記憶媒体へ移動し、前記新規ファイルを前記記憶手段へ記憶する制御手段とを有することを特徴とする移動通信端末装置。
【手続補正６】
【補正対象書類名】明細書
【補正対象項目名】００１２
【補正方法】変更
【補正の内容】
【００１２】
本発明によれば、記憶手段にファイル書き込みの空き記憶容量がない場合に、記憶手段に格納されたファイルを外部記憶媒体へ移動して上記空き記憶容量を作成することにより、ファイル書き込みができる。
【手続補正７】
【補正対象書類名】明細書
【補正対象項目名】００１３
【補正方法】変更
【補正の内容】
【００１３】
また、本発明の移動通信端末装置は、表示手段と、ファイルを記憶する記憶手段と、前記記憶手段に新規ファイルを記憶する際、前記記憶手段が空き記憶容量不足であるか否かを判断し、空き記憶容量不足であると判断された場合、前記記憶手段に記憶されたファイルの一覧を前記表示手段に表示し、前記表示手段に表示された前記ファイルの一覧からファイルを選択されると、前記選択されたファイルを削除し、前記新規ファイルを前記記憶手段へ記憶する制御手段とを有することを特徴とする。
【手続補正８】
【補正対象書類名】明細書
【補正対象項目名】００１４
【補正方法】変更
【補正の内容】
【００１４】
本発明によれば、記憶手段にファイル書き込みの空き記憶容量がない場合に、記憶手段に記憶された一部のファイルを削除し、上記空き記憶容量を作成することにより、ファイル書き込みができる。
【手続補正９】
【補正対象書類名】明細書
【補正対象項目名】００１５
【補正方法】変更
【補正の内容】
【００１５】
【発明の実施の形態】
以下に、本発明による移動通信端末装置の実施の形態を、図面を参照して説明する。
【手続補正１０】
【補正対象書類名】明細書
【補正対象項目名】００５４
【補正方法】変更
【補正の内容】
【００５４】
【発明の効果】
以上述べたように、本発明によれば、移動通信端末装置内に設けられた記憶手段に新規にファイルを記憶する場合において、ファイルを書き込むだけの空き記憶容量がない場合にも、ファイルの書き込みをすることができる。
【手続補正書】
【提出日】平成17年8月3日(2005.8.3)
【手続補正１】
【補正対象書類名】明細書
【補正対象項目名】特許請求の範囲
【補正方法】変更
【補正の内容】
【特許請求の範囲】
【請求項１】
車両の走行中に得られる信号をハードディスクに記録するドライブレコーダにおいて、車両に備え付けられたセンサによって検出される信号を受け入れる入力部と、
該入力部を介して送られる信号をハードディスクに記録するための記憶制御部と、
該記憶制御部にはディスクへの情報の記録を禁止するための信号を発する禁止信号発生手段と、
該記憶制御部とハードディスクとの間を結ぶ、情報を伝送するための信号線路を介して、該記憶制御部と該ハードディスクとの間のデータ伝送を制御し、該禁止信号発生手段からの信号によって該データ伝送をオフ状態に制御するスイッチと、
を有することを特徴とする車両用ドライブレコーダ
【請求項２】
車両には、センサの１つが車両の異常を検知した場合、エアーバッグを作動させるための信号を発するエアーバックコントローラを備え、該エアーバッグの作動信号を前記入力部への異常信号として用いることを特徴とする請求項１記載の車両用ドライブレコーダ。
【請求項３】
前記禁止信号発生手段は、ハードディスクへの情報の記録を禁止するためのライトプロテクト信号を発生することを特徴とする請求項１記載の車両用ドライブレコーダ。
【請求項４】
車両の走行中に得られる信号をハードディスクに記録するドライブレコーダにおいて、車両に備え付けられたセンサによって検出される信号を受け入れる入力部と、該入力部を介して送られる信号を一時的に格納する一時記憶部と、時刻を計時するタイマーと、該一時記憶部に格納された情報を該タイマーの計時と関連付けてハードディスクに記録するための記憶制御部とを備え、かつ該記憶制御部はディスクへの情報の記録を禁止するためのライトプロテクト信号を発生する信号発生手段を有し、該入力部に車両の異常信号が入力された場合、該信号発生手段からライトプロテクト信号を発生して該一時記憶部に格納された情報がディスクに記録されることを禁止することを特徴とする車両用ドライブレコーダ。
【手続補正書】
【提出日】平成17年3月22日(2005.3.22)
【手続補正１】
【補正対象書類名】明細書
【補正対象項目名】特許請求の範囲
【補正方法】変更
【補正の内容】
【特許請求の範囲】
【請求項１】
表を構成する各セルのデータを記憶する記憶手段と、
前記表の全部または一部を表示する表表示手段と、
表示されているセルのうちのユーザによって指定されたセルの属する行および列の少なくともいずれか一方を判別する判別手段と、
判別されたセルの属する行または列に関するセル情報を当該行または列に属するいずれかのセルのデータに基づいて表示するセル情報表示手段と、
前記表のいずれかの行または列を選択する選択手段と、を有し、
前記セル情報表示手段は、前記選択手段によって行が選択された場合は前記判別されたセルの属する列と当該行との交点に位置するセルのデータに基づいて前記セル情報を表示し、列が選択された場合は前記判別されたセルの属する行と当該列との交点に位置するセルのデータに基づいて前記セル情報を表示する、
ことを特徴とする表の表示システム。
【請求項２】
前記セル情報表示手段は、前記判別されたセルの前記セル情報を、当該セルの位置またはその近傍にポップアップによって表示する、
請求項１記載の表示システム。
【請求項３】
前記選択手段は、前記表の行ごとにそれぞれ対応付けていずれかの行を選択し、または前記表の列ごとにそれぞれ対応付けていずれかの列を選択し、
前記セル情報表示手段は、前記選択手段によって行が選択された場合は前記判別されたセルの属する列と当該セルの属する行に対応付けられた行との交点に位置するセルのデータに基づいて前記セル情報を表示し、列が選択された場合は前記判別されたセルの属する行と当該セルの属する列に対応付けられた列との交点に位置するセルのデータに基づいて前記セル情報を表示する、
請求項１または請求項２記載の表示システム。
【請求項４】
コンピュータにおける表の表示方法であって、
表を構成する各セルのデータを記憶手段に記憶させておき、
前記表の全部または一部を表示し、
表示されているセルのうちのユーザによって指定されたセルの属する行および列の少なくともいずれか一方を判別し、
前記表のいずれかの行または列を選択し、
判別されたセルの属する行または列に関するセル情報を当該行または列に属するいずれかのセルのデータに基づいて表示するセル情報表示手段と、
行が選択された場合は前記判別されたセルの属する列と当該行との交点に位置するセルのデータに基づいて、当該セルの属する行または列に関するセル情報を表示し、列が選択された場合は前記判別されたセルの属する行と当該列との交点に位置するセルのデータに基づいて当該セルの前記セル情報を表示する、
ことを特徴とする表の表示方法。
【請求項５】
表示装置に表を表示させるための処理を行うコンピュータに用いられるコンピュータプログラムであって、
前記表を構成する各セルのデータに基づいて前記表の全部または一部を前記表示装置に表示させる処理と、
表示されているセルのうちのユーザによって指定されたセルの属する行および列の少なくともいずれか一方を判別する処理と、
前記表のいずれかの行または列を選択する処理と、
判別されたセルの属する行または列に関するセル情報を当該行または列に属するいずれかのセルのデータに基づいて表示する処理と、
行が選択された場合は前記判別されたセルの属する列と当該行との交点に位置するセルのデータに基づいて、当該セルの属する行または列に関するセル情報を表示し、列が選択された場合は前記判別されたセルの属する行と当該列との交点に位置するセルのデータに基づいて当該セルの前記セル情報を表示する処理と、
をコンピュータに実行させるためのコンピュータプログラム。
【手続補正２】
【補正対象書類名】明細書
【補正対象項目名】０００９
【補正方法】変更
【補正の内容】
【０００９】
【課題を解決するための手段】
本発明に係る表の表示システムは、表を構成する各セルのデータを記憶する記憶手段と、前記表の全部または一部を表示する表表示手段と、表示されているセルのうちのユーザによって指定されたセルの属する行および列の少なくともいずれか一方を判別する判別手段と、判別されたセルの属する行または列に関するセル情報を当該行または列に属するいずれかのセルのデータに基づいて表示するセル情報表示手段と、前記表のいずれかの行または列を選択する選択手段と、を有し、前記セル情報表示手段は、前記選択手段によって行が選択された場合は前記判別されたセルの属する列と当該行との交点に位置するセルのデータに基づいて前記セル情報を表示し、列が選択された場合は前記判別されたセルの属する行と当該列との交点に位置するセルのデータに基づいて前記セル情報を表示する。
【手続補正３】
【補正対象書類名】明細書
【補正対象項目名】００１０
【補正方法】変更
【補正の内容】
【００１０】
好ましくは、前記セル情報表示手段は、前記判別されたセルの前記セル情報を、当該セルの位置またはその近傍にポップアップによって表示する。
【手続補正４】
【補正対象書類名】明細書
【補正対象項目名】００１１
【補正方法】変更
【補正の内容】
【００１１】
または、前記選択手段は、前記表の行ごとにそれぞれ対応付けていずれかの行を選択し、または前記表の列ごとにそれぞれ対応付けていずれかの列を選択し、前記セル情報表示手段は、前記選択手段によって行が選択された場合は前記判別されたセルの属する列と当該セルの属する行に対応付けられた行との交点に位置するセルのデータに基づいて前記セル情報を表示し、列が選択された場合は前記判別されたセルの属する行と当該セルの属する列に対応付けられた列との交点に位置するセルのデータに基づいて前記セル情報を表示する。
【手続補正書】
【提出日】平成17年7月13日(2005.7.13)
【手続補正１】
【補正対象書類名】明細書
【補正対象項目名】発明の名称
【補正方法】変更
【補正の内容】
【発明の名称】文書診断プログラム、文書診断方法及び抽出プログラム
【手続補正２】
【補正対象書類名】明細書
【補正対象項目名】特許請求の範囲
【補正方法】変更
【補正の内容】
【特許請求の範囲】
【請求項１】
コンピュータに、所定の識別子により記載内容が区分された文書の校正を行わせる文書診断プログラムにおいて、
前記コンピュータに、
前記文書の記載内容を示す文字データを前記識別子と共に取り込む取り込みステップと、
前記識別子により区分された記載内容の文字データ中から所定の既出指示語を検出する検出ステップと、
該既出指示語より以前の記載内容の文字データ中に、該既出指示語で修飾された文字列と一致する文字列が存在するか否かを検索する検索ステップと、
を実行させることを特徴とする文書診断プログラム。
【請求項２】
コンピュータに、特許法によって予め書式が定められた特許庁に提出する文書であって、所定の識別子により記載内容が区分された明細書の校正を行わせる文書診断プログラムにおいて、
前記コンピュータに、
前記明細書の特許請求の範囲の記載内容を示す文字データを請求項を表す所定の識別子と共に取り込む取り込みステップと、
前記識別子により区分された記載内容の文字データ中から所定の判定文字列を抽出する抽出ステップと、
該文字データ中から所定の既出指示語を検出する検出ステップと、
前記判定文字列に基づいて、前記識別子と従属関係を有する他の識別子を判別する判別ステップと、
前記判別ステップで判別した他の識別子により区分された記載内容をも前記既出指示語より以前の記載内容とした上で、該既出指示語より以前の記載内容の文字データ中に、該既出指示語で修飾された文字列と一致する文字列が存在するか否かを検索する検索ステップと、
を実行させることを特徴とする文書診断プログラム。
【請求項３】
前記コンピュータに、
前記検索ステップで検索した結果を表示手段に表示する表示ステップを実行させることを特徴とする請求項１又は２に記載の文書診断プログラム。
【請求項４】
コンピュータが、所定の識別子により記載内容が区分された文書の校正を行う文書診断方法において、
前記コンピュータが、
前記文書の記載内容を示す文字データを前記識別子と共に取り込む取り込みステップと、
前記識別子により区分された記載内容の文字データ中から所定の既出指示語を検出する検出ステップと、
該既出指示語より以前の記載内容の文字データ中に、該既出指示語で修飾された文字列と一致する文字列が存在するか否か検索する検索ステップと、
を実行することを特徴とする文書診断方法。
【請求項５】
コンピュータが、特許法によって予め書式が定められた特許庁に提出する文書であって、所定の識別子により記載内容が区分された明細書の校正を行う文書診断方法において、
前記コンピュータが、
前記明細書の特許請求の範囲の記載内容を示す文字データを請求項を示す所定の識別子と共に取り込む取り込みステップと、
前記識別子により区分された記載内容の文字データ中から予め決められた判定文字列を抽出する抽出ステップと、
該文字データ中から所定の既出指示語を検出する検出ステップと、
前記判定文字列に基づいて、前記識別子と従属関係を有する他の識別子を判別する判別ステップと、
前記判別ステップで判別した他の識別子により区分された記載内容をも前記既出指示語より以前の記載内容とした上で、該既出指示語より以前の記載内容の文字データ中に、該既出指示語で修飾された文字列と一致する文字列が存在するか否かを検索する検索ステップと、
を実行することを特徴とする文書診断方法。
【請求項６】
前記コンピュータが、
前記検索ステップで検索した結果を表示手段に表示する表示ステップを実行することを特徴とする請求項４又は５に記載の文書診断方法。
【請求項７】
コンピュータに、
所定の識別子により記載内容が区分された文書の記載内容を示す文字データを前記識別子と共に取り込む取り込みステップと、
前記識別子により区分された記載内容の文字データ中から所定の既出指示語を検出する検出ステップと、
前記識別子により区分された記載内容の文字データ中から検出した既出指示語で修飾された文字列を抽出する文字列抽出ステップと、
を実行させることを特徴とする抽出プログラム。
【手続補正３】
【補正対象書類名】明細書
【補正対象項目名】０００１
【補正方法】変更
【補正の内容】
【０００１】
【発明の属する技術分野】
本発明は、例えば特許出願に係る明細書等のように識別子により記載内容が区分された文書における記載内容の適否をコンピュータに診断させるための文書診断プログラム、該プログラムに基づきコンピュータが行う文書診断方法及び抽出プログラムに関するものである。
【手続補正４】
【補正対象書類名】明細書
【補正対象項目名】００１０
【補正方法】変更
【補正の内容】
【００１０】
そこで、本発明の目的は、識別子により記載内容が区分された文書のチェック作業を軽減でき、しかもチェック洩れを解消できる文書診断プログラム、文書診断方法及び抽出プログラムを提供することにある。
【手続補正５】
【補正対象書類名】明細書
【補正対象項目名】００１５
【補正方法】変更
【補正の内容】
【００１５】
請求項６の発明は、前記コンピュータが、前記検索ステップで検索した結果を表示手段に表示する表示ステップを実行する。
請求項７の発明では、コンピュータに、所定の識別子により記載内容が区分された文書の記載内容を示す文字データを前記識別子と共に取り込む取り込みステップと、前記識別子により区分された記載内容の文字データ中から所定の既出指示語を検出する検出ステップと、前記識別子により区分された記載内容の文字データ中から検出した既出指示語で修飾された文字列を抽出する文字列抽出ステップと、を実行させる。
（作用）
請求項１又は４に記載の発明によれば、コンピュータが、所定の識別子により記載内容が区分された文書の文字データを取り込み、適切に既出指示語が使用されているか否か判断する。このため、作成者は、多大な注意力を払うことなく、かつ多大な時間をかけることなくチェックを確実に行える。
【手続補正書】
【提出日】平成16年4月28日(2004.4.28)
【手続補正１】
【補正対象書類名】明細書
【補正対象項目名】特許請求の範囲
【補正方法】変更
【補正の内容】
【特許請求の範囲】
【請求項１】
第１のクロックに同期してデータを送信する送信装置と、上記第１のクロックとは異なる第２のクロックに同期してデータを受信する受信装置とを有し、
上記送信装置は、送信許可信号を受信し、この送信許可信号に応じて、データが有効であることを示す送信イネーブル信号を送信するとともに、この送信イネーブル信号に同期してデータを送信し、
上記受信装置は、受信許可信号を受信し、受信した受信許可信号に応じて、データが有効であることを示す受信イネーブル信号を送信するとともに、この受信イネーブル信号に同期してデータを受信するクロック乗り換えシステムに適用されるデータ転送装置において、
上記送信装置から送信されたデータを送信イネーブル信号のタイミングでラッチし、ラッチしているデータが上記受信装置により上記受信イネーブル信号のタイミングで読み出されるデータラッチ手段と、
上記送信装置から送信された送信イネーブル信号を上記第１のクロックのタイミングでラッチし、ラッチした送信イネーブル信号を少なくとも上記第１のクロックの１周期分遅延させる第１のラッチ手段と、
上記第１のラッチ手段によりラッチされた送信イネーブル信号を上記第２のクロックのタイミングでラッチする第２のラッチ手段と、
上記第２のラッチ手段によりラッチされた送信イネーブル信号に応じて上記第２のクロックに同期した受信許可信号を送信し、上記受信装置から送信された受信イネーブル信号に応じて当該受信許可信号の送信を停止する受信許可信号発生手段と、
上記受信装置から送信された受信イネーブル信号を上記第２のクロックのタイミングでラッチし、ラッチした受信イネーブル信号を少なくとも上記第２のクロックの１周期分遅延させる第３のラッチ手段と、
上記第３のラッチ手段によりラッチされた受信イネーブル信号を上記第１のクロックのタイミングでラッチする第４のラッチ手段と、
上記第４のラッチ手段によりラッチされた受信イネーブル信号に応じて上記第１のクロックに同期した送信許可信号を送信し、上記送信装置から送信された送信イネーブル信号に応じて当該送信許可信号の送信を停止する送信許可信号発生手段とを備えること
を特徴とするデータ転送装置。
【請求項２】
上記第２のラッチ手段は、上記第１のラッチ手段によりラッチされた送信イネーブル信号を、連続して２回以上、上記第２のクロックのタイミングでラッチすることを特徴とする請求項１に記載のデータ転送装置。
【請求項３】
上記第４のラッチ手段は、上記第３のラッチ手段によりラッチされた送信イネーブル信号を、連続して２回以上、上記第１のクロックのタイミングでラッチすることを特徴とする請求項１に記載のデータ転送装置。
【手続補正書】
【提出日】平成16年10月14日(2004.10.14)
【手続補正１】
【補正対象書類名】明細書
【補正対象項目名】特許請求の範囲
【補正方法】変更
【補正の内容】
【特許請求の範囲】
【請求項１】
ネットワークを介してオンラインアルバムを提供するサーバ装置と通信可能であり、印刷装置を制御可能な情報処理装置であって、
サーバ装置から転送された複数の画像を表示する表示手段と、
前記表示手段に表示された複数の画像をまとめて印刷することを指示内容とする、印刷指示を取得する印刷指示取得手段と、
前記サーバ装置にある前記複数の画像に対応した印刷用画像を、前記印刷指示に応答して該複数の印刷用画像のうち一部毎に前記サーバ装置から受信し印刷ジョブを生成する印刷ジョブ生成手段と、
を有することを特徴とする情報処理装置。
【請求項２】
印刷装置を制御するためのソフトウエアと通信可能な機能拡張プログラムであって、
複数の画像データに対する印刷指示を受け付ける工程と、
前記受け付けられた印刷指示に含まれる複数の画像データに対応する印刷用画像データのうちの一部の画像データを取得する工程と、
前記取得された画像データについて印刷ジョブを作成させるよう、前記ソフトウエアに前記画像データを転送する工程と、
前記画像データを取得する工程と前記画像データを転送する工程を該複数の画像の数だけ繰り返させる工程と、
をコンピュータに実行させることを特徴とする機能拡張プログラム。
【請求項３】
前記ソフトウエアによって作成された印刷ジョブの処理状態に関する情報を前記ソフトウエアから取得する工程と、
前記取得された前記情報に基づき、前記印刷ジョブの処理状態を表示させる工程と、
を更にコンピュータに実行させることを特徴とする請求項２に記載の機能拡張プログラム。
【請求項４】
処理状態が表示された前記印刷ジョブの中から選択された印刷ジョブの印刷処理の中止指示を受け付ける工程と、
受け付けた前記中止指示に応じて、前記ソフトウエアに前記選択された印刷ジョブの印刷処理を中止するよう指示する工程と、
を更にコンピュータに実行させることを特徴とする請求項３に記載の機能拡張プログラム。
【請求項５】
請求項２に記載の機能拡張プログラムを格納したことを特徴とするコンピュータが読み取り可能な記憶媒体。
【請求項６】
請求項２に記載の機能拡張プログラムを記憶する記憶手段と、
前記記憶手段に記憶された機能拡張プログラムを実行し、ネットワークを介して接続された他の情報処理装置と通信する通信手段とを有することを特徴とする情報処理装置。
【請求項７】
前記通信手段は、前記他の情報処理装置から、前記画像データを表示するためのファイルを受信し、
前記通信手段により受信されたファイルに基づき、ブラウザによって前記画像データを表示する表示手段を更に有することを特徴とする請求項６に記載の情報処理装置。
【請求項８】
印刷装置を制御するため制御方法であって、
複数の画像データに対する印刷指示を受け付ける工程と、
前記受け付けられた印刷指示に含まれる複数の画像データに対応する印刷用画像データのうちの一部の画像データを取得する工程と、
前記取得された画像データについて印刷ジョブを作成させるよう、前記印刷装置を制御するためのソフトウエアに前記画像データを転送する工程と、
前記画像データを取得する工程と前記画像データを転送する工程を該複数の画像の数だけ繰り返させる工程と、
を備えたことを特徴とする制御方法。
【手続補正２】
【補正対象書類名】明細書
【補正対象項目名】０００５
【補正方法】変更
【補正の内容】
【０００５】
【課題を解決するための手段】
上記目的を達成するため、本発明に係る装置は、
ネットワークを介してオンラインアルバムを提供するサーバ装置と通信可能であり、印刷装置を制御可能な情報処理装置であって、
サーバ装置から転送された複数の画像を表示する表示手段と、
前記表示手段に表示された複数の画像をまとめて印刷することを指示内容とする、印刷指示を取得する印刷指示取得手段と、
前記サーバ装置にある前記複数の画像に対応した印刷用画像を、前記印刷指示に応答して該複数の印刷用画像のうち一部毎に前記サーバ装置から受信し印刷ジョブを生成する印刷ジョブ生成手段と、
を有することを特徴とする。
【手続補正３】
【補正対象書類名】明細書
【補正対象項目名】０００６
【補正方法】変更
【補正の内容】
【０００６】
上記目的を達成するため、本発明に係るプログラムは、
印刷装置を制御するためのソフトウエアと通信可能な機能拡張プログラムであって、
複数の画像データに対する印刷指示を受け付ける工程と、
前記受け付けられた印刷指示に含まれる複数の画像データに対応する印刷用画像データのうちの一部の画像データを取得する工程と、
前記取得された画像データについて印刷ジョブを作成させるよう、前記ソフトウエアに前記画像データを転送する工程と、
前記画像データを取得する工程と前記画像データを転送する工程を該複数の画像の数だけ繰り返させる工程と、
をコンピュータに実行させることを特徴とする。
【手続補正４】
【補正対象書類名】明細書
【補正対象項目名】００１０
【補正方法】変更
【補正の内容】
【００１０】
また、本発明に係る情報処理装置は、
上記機能拡張プログラムを記憶する記憶手段と、
前記記憶手段に記憶された機能拡張プログラムを実行し、ネットワークを介して接続された他の情報処理装置と通信する通信手段とを有することを特徴とする情報処理装置。
【手続補正５】
【補正対象書類名】明細書
【補正対象項目名】００１１
【補正方法】変更
【補正の内容】
【００１１】
前記通信手段は、前記他の情報処理装置から、前記画像データを表示するためのファイルを受信し、
前記通信手段により受信されたファイルに基づき、ブラウザによって前記画像データを表示する表示手段を更に有することを特徴とする。
【手続補正６】
【補正対象書類名】明細書
【補正対象項目名】００１２
【補正方法】変更
【補正の内容】
【００１２】
上記目的を達成するため、本発明に係る方法は、
印刷装置を制御するため制御方法であって、
複数の画像データに対する印刷指示を受け付ける工程と、
前記受け付けられた印刷指示に含まれる複数の画像データに対応する印刷用画像データのうちの一部の画像データを取得する工程と、
前記取得された画像データについて印刷ジョブを作成させるよう、前記印刷装置を制御するためのソフトウエアに前記画像データを転送する工程と、
前記画像データを取得する工程と前記画像データを転送する工程を該複数の画像の数だけ繰り返させる工程と、
を備えたことを特徴とする。
【手続補正７】
【補正対象書類名】明細書
【補正対象項目名】００６６
【補正方法】変更
【補正の内容】
【００６６】
【発明の効果】
本発明によれば、ネットワークに接続されたオンラインアルバムを提供するサーバ装置から取得した画像データを効率的に印刷装置に出力することができる。
【手続補正書】
【提出日】平成17年9月8日(2005.9.8)
【手続補正１】
【補正対象書類名】明細書
【補正対象項目名】発明の名称
【補正方法】変更
【補正の内容】
【発明の名称】情報提供装置及びその制御方法
【手続補正２】
【補正対象書類名】明細書
【補正対象項目名】特許請求の範囲
【補正方法】変更
【補正の内容】
【特許請求の範囲】
【請求項１】  ネットワーク経由でユーザ端末からの利用要求を受信する利用要求受信手段と、
前記利用要求に応答して、所定の処理を実行する利用処理実行手段と、
前記ユーザ端末のユーザ毎に、前記利用に係る制限事項を設定する利用制限設定手段と、
前記ユーザ端末のユーザ毎に、前記利用実績を取得する利用実績取得手段と、
前記利用実績に基づいて、前記ユーザ毎に前記制限事項を変更する変更手段とを有することを特徴とする情報提供装置。
【請求項２】  前記情報提供装置は、
前記ユーザ端末からデジタルデータを受信するデータ受信手段と、
前記デジタルデータを記憶するデータ記憶手段を更に備え、
前記制限事項は、前記ユーザ端末のユーザが前記記憶手段に前記デジタルデータを記憶可能な容量を示すことを特徴とする請求項１記載の情報提供装置。
【請求項３】  前記実績取得手段は、所定期間内における利用回数、利用料金、利用内容の少なくともいずれかに基づいて前記利用実績を取得することを特徴とする請求項１又は請求項２に記載の情報提供装置。
【請求項４】  前記変更手段による前記制限事項の変更を前記ユーザ端末へ通知する通知手段を更に有することを特徴とする請求項１乃至請求項３のいずれか１項に記載の情報提供装置。
【請求項５】  ネットワーク経由でユーザ端末からの利用要求を受信するステップと、
前記利用要求に応答して、所定の処理を実行するステップと、
前記ユーザ端末のユーザ毎に、前記利用に係る制限事項を設定する利用制限設定ステップと、
前記ユーザ端末のユーザ毎に、前記利用実績を取得する利用実績取得ステップと、
前記利用実績に基づいて、前記ユーザ毎に前記制限事項を変更する変更ステップとを有することを特徴とする情報提供装置の制御方法。
【請求項６】  ネットワーク経由でユーザ端末からの利用要求を受信するステップと、
前記利用要求に応答して、所定の処理を実行するステップと、
前記ユーザ端末のユーザ毎に、前記利用に係る制限事項を設定する利用制限設定ステップと、
前記ユーザ端末のユーザ毎に、前記利用実績を取得する利用実績取得ステップと、
前記利用実績に基づいて、前記ユーザ毎に前記制限事項を変更する変更ステップをコンピュータ装置に実行させるためのプログラム。
【請求項７】  請求項６に記載のプログラムをコンピュータ読み出し可能に記憶した記憶媒体。
【手続補正３】
【補正対象書類名】明細書
【補正対象項目名】０００１
【補正方法】変更
【補正の内容】
【０００１】
【発明の属する技術分野】
本発明は情報提供装置及びその制御方法に関し、インターネット等の通信環境を用いて通信可能なユーザ端末に情報及び／又はサービスを提供するための情報提供装置及びその制御方法に関する。
【手続補正４】
【補正対象書類名】明細書
【補正対象項目名】００１１
【補正方法】変更
【補正の内容】
【００１１】
本発明は、このような従来技術の問題点を解決するために提案されたものであり、その目的とするところは、ユーザのサービス利用状況に応じて自動的にユーザ与える特典を制御することによって、運用者に負担をかけることなくユーザのサービス利用を促すことが可能な情報提供装置及びその制御方法を提供することにある。
【手続補正５】
【補正対象書類名】明細書
【補正対象項目名】００１２
【補正方法】変更
【補正の内容】
【００１２】
【課題を解決するための手段】
すなわち、本発明の要旨は、ネットワーク経由でユーザ端末からの利用要求を受信する利用要求受信手段と、利用要求に応答して、所定の処理を実行する利用処理実行手段と、ユーザ端末のユーザ毎に、利用に係る制限事項を設定する利用制限設定手段と、ユーザ端末のユーザ毎に、利用実績を取得する利用実績取得手段と、利用実績に基づいて、ユーザ毎に制限事項を変更する変更手段とを有することを特徴とする情報提供装置に存する。
【手続補正６】
【補正対象書類名】明細書
【補正対象項目名】００１３
【補正方法】変更
【補正の内容】
【００１３】
また、本発明の別の要旨は、ネットワーク経由でユーザ端末からの利用要求を受信するステップと、利用要求に応答して、所定の処理を実行するステップと、ユーザ端末のユーザ毎に、利用に係る制限事項を設定する利用制限設定ステップと、ユーザ端末のユーザ毎に、利用実績を取得する利用実績取得ステップと、利用実績に基づいて、ユーザ毎に制限事項を変更する変更ステップとを有することを特徴とする情報提供装置の制御方法に存する。
【手続補正７】
【補正対象書類名】明細書
【補正対象項目名】００１４
【補正方法】変更
【補正の内容】
【００１４】
また、本発明の別の要旨は、ネットワーク経由でユーザ端末からの利用要求を受信するステップと、利用要求に応答して、所定の処理を実行するステップと、ユーザ端末のユーザ毎に、利用に係る制限事項を設定する利用制限設定ステップと、ユーザ端末のユーザ毎に、利用実績を取得する利用実績取得ステップと、利用実績に基づいて、ユーザ毎に制限事項を変更する変更ステップをコンピュータ装置に実行させるためのプログラムに存する。